(57)【特許請求の範囲】
【請求項１】
同一軸線上に整列する軸筒部を一側辺部に有する２枚の翼板と、前記各軸筒部に挿入されて前記２枚の翼板を相対回転可能に連結する軸ピンとから成り、前記軸ピンに軸線方向の割溝部を挟んで二股状の脚片を形成し、前記各脚片の先端部外側面を先細り状の傾斜面に形成し、前記先端部外側面に停止突起を形成し、前記脚片の前記先細り状傾斜面に沿って挿入用斜面を前記停止突起の先端側に形成し、前記挿入用斜面とは逆向きである抜取り用斜面を前記停止突起の頭部側に形成し、前記一方の翼板の前記軸筒部の先端部内周面に拡大段差部を形成し、前記軸ピンを前記翼板の前記各軸筒部に挿入するとき、前記各脚片が内向きに弾性変形し、前記挿入終端において前記各脚片が弾性復元して前記停止突起が前記拡大段差部に係合するヒンジ。
【発明の詳細な説明】
【０００１】
【発明の属する技術分野】
本発明は、扉等のウィング体をボックス本体等の固定フレームに対して開閉回転可能に取付けるのに使用されるヒンジに関する。
【０００２】
【従来の技術】
ヒンジは同一軸線上に整列する軸筒部を一側辺部に有する２枚の翼板と、前記各軸筒部に挿入されて前記２枚の翼板を相対回転可能に連結する軸ピンとから構成されている。ウィング体を固定フレームから取り外さない場合には、前記軸ピンが前記各軸筒部から抜き取られない構成のヒンジ（非分離型ヒンジ）が使用され、ウィング体を固定フレームから取り外す必要がある場合には、前記軸ピンが前記一方の軸筒部から抜き取れる構成のヒンジ（分離型ヒンジ）が使用される。
【０００３】
ある非分離型ヒンジでは、軸ピンに拡大頭部を形成し、一方の軸筒部から突き出る軸ピンの先端部に環状受溝を形成し、該環状受溝に抜け止め用Ｃ形リングを嵌めることによって、軸ピンの抜け落ちを阻止している（例えば、特許文献１参照）。
【０００４】
別の非分離型ヒンジでは、一方の翼板に上下２個の軸筒部を形成し、他方の翼板には前記２個の軸筒部の間に嵌まり込む軸筒部を１個形成し、前記３個の軸筒部の軸方向長さの総和よりも軸方向長さが短い軸ピンを全ての軸筒部に挿入した後、上位側と下位側の軸筒部の開口端縁部を軸ピンの端面に向かって折り曲げることによって、軸ピンの抜け落ちを阻止しいる（例えば、特許文献２参照）。
【０００５】
更に別の非分離型ヒンジでは、一方の翼板に上下２個の軸筒部を形成し、他方の翼板には前記２個の軸筒部の間にはまり込む軸筒部を１個形成し、軸ピンを全ての軸筒部に挿入した後、下位側の軸筒部の側面ねじ孔からロックビスを軸ピン先端部の環状受溝に挿入することによって、軸ピンの抜け落ちを阻止しいる（例えば、特許文献３参照）。
【０００６】
また、分離型ヒンジでは、軸ピンを軸筒部に加締め加工や溶接あるいはロックピン打ち込み等によって一方の翼板に固着し、分離するときには、前記一方の翼板を他方の翼板に対して持ち上げることによって、軸ピンを他方の翼板の軸筒部から抜き取るようにしている（例えば、特許文献４参照）。
【０００７】
【特許文献１】
特開２００１‐１６４８２３号公報
【特許文献２】
実用新案登録第３０５５９１６号公報
【特許文献３】
実開昭６２−２３９６８号公報
【特許文献４】
特許第２５４６７８０号公報
【０００８】
【発明が解決しようとする課題】
前記非分離型ヒンジでは、２枚の翼板からの軸ピンの抜き取りを阻止するためには、軸ピンの先端部の環状受溝にＣ形リングを嵌める必要があり、余分な材料及び加工コストがかかる。
また、別の非分離型ヒンジでは、一方の翼板からの軸ピンの抜き取りを阻止するためには、軸筒部の開口端縁部を内側に折り曲げ加工する作業が追加され、余分な加工コストが発生する。
【０００９】
更に別の非分離型ヒンジでは、特定の軸筒部の側面にねじ孔を形成し、軸ピンの環状受溝にロックビスを挿入する作業が追加され、余分な材料及び加工コストがかかる。
また、前記分離型ヒンジでは、軸ピンを軸筒部に加締め加工や溶接あるいはロックピン等によって一方の翼板に固着するため、余分な材料及び加工コストがかかる。
【００１０】
本発明の目的は、軸ピンを軸筒部に挿入する操作のみによって軸ピンの抜け落ちが阻止されるため、ヒンジの組立が簡単に行われ、余分な材料や加工コストが発生しないヒンジを提供することである。
【００１１】
【課題を解決するための手段】
本発明のヒンジは、同一軸線上に整列する軸筒部を一側辺部に有する２枚の翼板と、前記各軸筒部に挿入されて前記２枚の翼板を相対回転可能に連結する軸ピンとから成り、前記軸ピンに軸線方向の割溝部を挟んで二股状の脚片を形成し、前記各脚片の先端部外側面に停止突起を形成し、前記一方の翼板の前記軸筒部の先端部内周面に拡大段差部を形成したものである。
【００１２】
前記２枚の翼板を各軸筒部が同一軸線上に整列するように配置し、前記軸ピンを各翼板の前記各軸筒部に挿入するとき、最初に位置する軸筒部の内周エッジ部が二股状の前記脚片の前記停止突起の外側面を押すため、軸ピン前記割溝部の幅を縮小するように前記各脚片が内向きに弾性変形する。
前記軸ピンの挿入作業の終端段階において、前記停止突起が最後に位置する軸筒部の内周面の拡大段差部内に到達したとき、前記軸筒部の内周面による停止突起の押圧が解除去れるため、前記各脚片が弾性復元して前記停止突起が前記拡大段差部に係合する。これによって、前記軸ピンの前記各軸筒部からの抜け落ちが阻止される。
【００１３】
前記各脚片の先端部外側面は先細り状に形成してあり、前記軸ピンを各翼板の前記各軸筒部に挿入する作業が、先細り状外側面の誘導作用によって円滑になされる。
【００１４】
前記脚片の前記先細り状傾斜面に沿って挿入用斜面を前記停止突起の先端側に形成してあり、前記挿入用斜面が軸筒部の内周面に押されるため、この誘導作用によって前記軸ピンの挿入作業が更に円滑になされる。
【００１５】
前記挿入用斜面とは逆向きである抜取り用斜面を前記停止突起の頭部側に形成してあり、軸ピンを軸筒部から押し出すことが可能である。
すなわち、本発明のヒンジは通常では、非分離型ヒンジとして使用されるが、分離型ヒンジとしても使用することができ、分離型ヒンジとして使用するときには、前記軸ピンの前記脚片の先端を抜き取り方向に強制的に押すと、前記抜取り用斜面が軸筒部の内周面と拡大段差部間のエッジ肩部に押されるため、二股状の脚片が内向きに弾性変形し、各停止突起が拡大段差部から軸筒部本体内に押し動かされ、最終的には軸ピンが各軸筒部から抜き取られる。
【００１６】
分離型ヒンジとして使用されるとき、２枚の翼板の関係位置を変更することなく、軸ピンが両翼板から先行的に抜き取られ、その後の段階でウィング体に固着されている一方の翼板が、固定フレームに固着されている他方の翼板から分離させられる。そのため、従来のようにウィング体を持ち上げる動作が不要となる。
【００１７】
【発明の実施の形態】
図示の実施例では、２枚の翼板１、２はエンジニアリングプラスチックによって成形されている。一方の翼板１の軸筒部３は、間隔を置いて上下２個形成されており、他方の翼板２の軸筒部４は１個形成され、前記軸筒部３、３の間に嵌め込まれる。軸筒部３、４の内周直径は軸ピン５の外周直径と同じか、若干それよりも小さく形成されている。拡大段差部６は軸筒部４の下端部側に形成されている。上位側の軸筒部３の上端部側には別の拡大段差部７が形成されており、軸ピン５の拡大頭部８が前記拡大段差部７に嵌め込まれる。
【００１８】
割溝部９は軸ピン５の先端部分にＵ字状に形成され、割溝部９の両側にある二股状の脚片１０、１０は先細状傾斜面１１に軸線方向に沿って突出形成された停止突起１２は、山形断面をなし、山形断面の先端側の斜面が挿入作業時に機能する挿入用斜面１３であり、山形断面の頭部側の斜面が抜取り作業時に機能する抜取り用斜面１４である。
【００１９】
各翼板１、２にはウィング体または固定フレームへの固着孔１５、１６を軸筒部３、４から離れた位置に形成してある。
【００２０】
【発明の効果】
以上のように本発明は２枚の翼板と１本の軸ピンだけで構成されており、２枚の翼板は円滑になされる各軸筒部に対する軸ピンの挿入作業のみによって相対回転可能に組み立てられ、かつ、各軸筒部からの軸ピンの抜け落ちが的確に阻止されるため、余分な材料や加工コストがかからずにヒンジの製作組立を簡単に行なえるとともに、軸ピンの突き上げ操作によって軸ピンの抜取って、分離型ヒンジとして使用できるものである。
【図面の簡単な説明】
【図１】  本発明の一実施例に係るヒンジの分解状態の正面図である。
【図２】  図１のヒンジの組立状態の正面図である。
【図３】  図２のヒンジの平面図である。
【図４】  図３のＡ−Ａ線断面図である。
【符号の説明】
【００１３】
１  翼板
２  翼板
３  軸筒部
４  軸筒部
５  軸ピン
６  拡大段差部
７  拡大段差部
８  拡大頭部
９  割溝部
１０  脚片
１１  先細状傾斜面
１２  停止突起
１３  挿入用斜面
１４  抜取り用斜面
１５  固着孔
１６  固着孔
【図１】
0003643103.tif 000002
【図２】
0003643103.tif 000003
【図３】
0003643103.tif 000004
【図４】
0003643103.tif 000005